(57)【要約】      （修正有）【課題】パネルをベースに対して閉じる過程において、衝撃力を減少させ、パネルを安定的に閉じることができるノートパソコンの防振装置を提供する。【解決手段】ベース１と、ベースの一端側にヒンジ接続されるパネル５と、を含むノートパソコンの防振装置であり、パネルの表面における両側壁に近い位置にそれぞれ防振アセンブリ６が接着され、防振アセンブリは、それぞれゴムブロックと、楕円形のキャビティと、弾性ボールと、バンプテープと、ゴム凸条と、を含む。ゴムブロックの内部に楕円形のキャビティが形成され、楕円形のキャビティの内部に弾性ボールが可動接続され、ゴムブロックの下面にバンプテープが一体成形され、ゴムブロックの両側壁にゴム凸条が一体成形され、パネルの表面における頂端に近い位置にそれぞれ磁気ブロックとゴムストリップが設けられる。防振アセンブリとゴムストリップにより、緩衝を複数回行う。【選択図】図１
0003233009.tif 000002
【実用新案登録請求の範囲】
【請求項１】
ベース（１）と、前記ベース（１）の一端側にヒンジ接続されるパネル（５）と、を含むノートパソコンの防振装置であって、
前記パネル（５）の表面における両側壁に近い位置にそれぞれ防振アセンブリ（６）が接着され、
前記防振アセンブリ（６）は、それぞれゴムブロック（６０１）と、楕円形のキャビティ（６０２）と、弾性ボール（６０３）と、バンプテープ（６０４）と、ゴム凸条（６０５）と、を含み、
前記ゴムブロック（６０１）の内部に楕円形の前記キャビティ（６０２）が形成され、
楕円形の前記キャビティ（６０２）の内部に前記弾性ボール（６０３）が可動接続され、
前記ゴムブロック（６０１）の下面に前記バンプテープ（６０４）が一体成形され、
前記ゴムブロック（６０１）の両側壁に前記ゴム凸条（６０５）が一体成形され、
前記パネル（５）の表面における頂端に近い位置にそれぞれ磁気ブロック（７）とゴムストリップ（９）が設けられる
ことを特徴とするノートパソコンの防振装置。
【請求項２】
請求項１に記載のノートパソコンの防振装置であって、
前記ベース（１）の上面にキーボード（１０１）が設けられ、
前記パネル（５）の表面に表示画面（５０１）が嵌合される
ことを特徴とするノートパソコンの防振装置。
【請求項３】
請求項１に記載のノートパソコンの防振装置であって、
前記ベース（１）の下面にボス（２）が固定して接続される
ことを特徴とするノートパソコンの防振装置。
【請求項４】
請求項１に記載のノートパソコンの防振装置であって、
前記ベース（１）の表面における両側壁に近い位置にそれぞれ第１凹溝（３）が形成される
ことを特徴とするノートパソコンの防振装置。
【請求項５】
請求項４に記載のノートパソコンの防振装置であって、
前記第１凹溝（３）の幅は、前記ゴムブロック（６０１）の幅よりも大きい
ことを特徴とするノートパソコンの防振装置。
【請求項６】
請求項５に記載のノートパソコンの防振装置であって、
前記第１凹溝（３）の深さは、前記ゴムブロック（６０１）の高さよりの大きい
ことを特徴とするノートパソコンの防振装置。
【請求項７】
請求項１に記載のノートパソコンの防振装置であって、
前記ベース（１）の表面に第２凹溝（８）が形成される
ことを特徴とするノートパソコンの防振装置。
【請求項８】
請求項７に記載のノートパソコンの防振装置であって、
前記第２凹溝（８）の幅は、前記ゴムストリップ（９）の幅よりも大きい
ことを特徴とするノートパソコンの防振装置。
【請求項９】
請求項８に記載のノートパソコンの防振装置であって、
前記ゴムストリップ（９）の内部にストリップ状キャビティ（９０１）が形成される
ことを特徴とするノートパソコンの防振装置。
【請求項１０】
請求項１に記載のノートパソコンの防振装置であって、
前記磁気ブロック（７）は、前記ゴムストリップ（９）の外側に位置し、
前記ベース（１）の表面に金属スリーブ（４）が対称的に挿入して接続される
ことを特徴とするノートパソコンの防振装置。
【考案の詳細な説明】
【技術分野】
【０００１】
本考案は、ノートパソコン技術領域に関し、特にノートパソコンの防振装置に関する。
【背景技術】
【０００２】
ノート型パーソナルコンピュータ（Ｌａｐｔｏｐ）は、ノートパソコンと省略され、「携帯式コンピュータ、手持ちコンピュータ、タブレットコンピュータ又はラップトップ型コンピュータ」とも呼ばれる。その最大の特徴は、コンピュータ本体がコンパクトで、デスクトップパソコンより持ち運びやすい。小型で持ち運びやすいパーソナルコンピュータであり、通常は、重量が１−３ｋｇである。
【０００３】
現在、開発が進められているノートパソコンは、体積が益々小さくなり、重量が益々軽くなるとともに機能が向上する。体積を小さくするために、ノートパソコンは、液晶ディスプレイ（液晶ＬＣＤスクリーンとも呼ばれる）を使用している。また、キーボードの他に、タッチパッド（Ｔｏｕｃｈｐａｄ）やポインティング・スティック（Ｐｏｉｎｔｉｎｇ  ｓｔｉｃｋ）をポインティングデバイス（Ｐｏｉｎｔｉｎｇ  ｄｅｖｉｃｅ）として備えることもある。ノートパソコンは、主に持ち運びやすさ、マザーボード、ＣＰＵに対する要求、メモリ、グラフィックカード、ハードディスクの容量などの点でデスクトップパソコンと相違する。ノートパソコン本体は、非常にコンパクトであるが、その適用性に疑問の余地はなく、日常操作や基本的なビジネス、エンターテインメント、コンピューティングに完全に適用できる。現在、ノートパソコンは、その用途に応じて多様化している。ネットブックは、オフィスソフトの使いや映画観賞などのサービスを利用することを主な用途としている。ビジネスパソコンは、より長いバッテリー持続時間を得るために低消費電力化、安定化を目指している。家庭用ノートパソコンは、良いパフォーマンスと高いコストパフォーマンスを利点としている。ゲーム用ノートパソコンは、ゲーム好きな人が外にいるときにも使えるように特別に設計されている。
【０００４】
しかしながら、従来のノートパソコンは、以下の欠点がある。
ノートパソコンを頻繁に使用するユーザは知っているように、ノートパソコンを使用した後、パネルをベースに対して閉じる際に、ある程度の衝撃が生じる。長年繰り返して使用した後、衝撃による振動がノートパソコンの内部にある電気部品とハードウェアとの接続の部分に伝わり、回線が緩くなり、構造の損傷が引き起こされる。深刻な場合には、ノートブックは正常に使用できなくなる。
【０００５】
また、従来のノートパソコンにおいて、パネルとベースとの間に防振保護アセンブリが設けられるが、保護効果が良くなく、衝撃に伴う損傷が引き起こされる。
【考案の概要】
【０００６】
本考案は、以下の問題を解決するために、ノートパソコンの防振装置を提供することを目的とする。従来のノートパソコンにおいて、ノートパソコンを頻繁に使用するユーザは知っているように、ノートパソコンを使用した後、パネルをベースに対して閉じる際に、ある程度の衝撃が生じる。長年繰り返して使用した後、衝撃による振動がノートパソコンの内部にある電気部品とハードウェアとの接続の部分に伝わり、回線が緩くなり、構造の損傷が引き起こされる。深刻な場合には、ノートブックは正常に使用できなくなる。従来のノートパソコンにおいて、パネルとベースとの間に防振保護アセンブリが設けられるが、保護効果が良くなく、衝撃に伴う損傷が引き起こされる。
【０００７】
上述した目的を実現するために、本考案のある様態によれば、ベースと、前記ベースの一端側にヒンジ接続されるパネルと、を含むノートパソコンの防振装置を提供する。前記パネルの表面における両側壁に近い位置にそれぞれ防振アセンブリが接着され、前記防振アセンブリは、それぞれゴムブロックと、楕円形のキャビティと、弾性ボールと、バンプテープと、ゴム凸条と、を含み、前記ゴムブロックの内部に楕円形の前記キャビティが形成され、前記楕円形のキャビティの内部に前記弾性ボールが可動接続され、前記ゴムブロックの下面に前記バンプテープが一体成形され、前記ゴムブロックの両側壁に前記ゴム凸条が一体成形され、前記パネルの表面における頂端に近い位置にそれぞれ磁気ブロックとゴムストリップが設けられる。パネル表面における両側壁に近い位置にそれぞれ防振アセンブリを接着し、パネル表面における頂端に近い位置にそれぞれ磁気ブロックとゴムストリップを設け、防振アセンブリとゴムストリップとを組み合わせて使用することにより、パネルをベースに対して閉じる過程において、緩衝を複数回行うことで衝撃力を減少させ、パネルを安定的に閉じることができる。これによって、ノートパソコンのハードウェア設備が保護され、使用寿命が延長される。
【０００８】
好ましくは、前記ベースの上面にキーボードが設けられ、前記パネルの表面に表示画面が嵌合される。キーボードと表示画面は、いずれもノートパソコンの必須のハードウェア設備であり、ユーザがノートパソコンを操作する際に補助するものである。
【０００９】
好ましくは、前記ベースの下面にボスが固定して接続される。ベースの下面にボスを固定して接続することにより、ボスがベースを持ち上げ、ベースと支持面との間の接触面積を減少させ、摩耗を減少させ、ベースの下の空気循環をよくし、使用効果を向上させる。
【００１０】
好ましくは、前記ベースの表面における両側壁に近い位置にそれぞれ第１凹溝が形成される。
【００１１】
好ましくは、前記第１凹溝の幅は、前記ゴムブロックの幅よりも大きい。
【００１２】
好ましくは、前記第１凹溝の深さは、前記ゴムブロックの高さよりの大きい。ベースの表面における両側壁に近い位置にそれぞれ第１凹溝を形成させ、第１凹溝を防振アセンブリと組み合わせて使用することにより、パネルをベースに対して閉じる過程において、防振アセンブリが第１凹溝の内部にゆっくり挿入し、ゴムブロックの下面に位置するバンプテープが第１凹溝の開口端に入り、ゴムブロックの両側壁に位置するゴム凸条が第１凹溝の開口端の側壁に接触し、第一回の摩擦緩衝が行われる。パネルが押し下げられ続ける際に、バンプテープが第１凹溝の内部の底端に接触し、ゴムブロックが圧迫力を受け、楕円形のキャビティが変形し、第二回の摩擦緩衝が行われる。楕円形のキャビティが弾性ボールを圧縮する際に、第三回の摩擦緩衝が行われる。衝撃力に対して緩衝を三回行うことで、パネルを安定的に閉じることができる。また、ゴムブロックにより、パネルとベースとの接続の部分の密接性が向上する。
【００１３】
好ましくは、前記ベースの表面に第２凹溝が形成される。
【００１４】
好ましくは、前記第２凹溝の幅は、ゴムストリップの幅よりも大きい。
【００１５】
好ましくは、前記ゴムストリップの内部にストリップ状キャビティが形成される。第２凹溝をゴムストリップと組み合わせて使用することにより、パネルをベースに対して閉じる過程において、ゴムストリップの内部のストリップ状キャビティが変形するため、衝撃力を緩和し、優れた防振効果を有する。
【００１６】
好ましくは、前記磁気ブロックは、前記ゴムストリップの外側に位置し、前記ベースの表面に金属スリーブが対称的に挿入して接続される。磁気ブロックの磁気吸引力により、磁気ブロックが金属スリーブの内部に挿入され、パネルがベースの表面に密接し、クローズ操作が完了する。
【考案の効果】
【００１７】
本考案の態様は、下記の有益な効果を奏する。
本考案では、ベースの表面における両側壁に近い位置にそれぞれ第１凹溝を形成させることにより、パネルをベースに対して閉じる過程において、防振アセンブリが第１凹溝の内部にゆっくり挿入し、ゴムブロックの下面に位置するバンプテープが第１凹溝の開口端に入り、ゴムブロックの両側壁に位置するゴム凸条が第１凹溝の開口端の側壁に接触し、第一回の摩擦緩衝が行われる。パネルが押し下げられ続ける際に、バンプテープが第１凹溝の内部の底端に接触し、ゴムブロックが圧迫力を受け、楕円形のキャビティが変形し、第二回の摩擦緩衝が行われる。楕円形のキャビティが弾性ボールを圧縮する際に、第三回の摩擦緩衝が行われる。衝撃力に対して緩衝を三回行うことで、パネルを安定的に閉じることができる。また、ゴムブロックにより、パネルとベースとの接続の部分の密接性が向上する。
【００１８】
本考案では、パネル表面における頂端に近い位置にそれぞれ磁気ブロックとゴムストリップが設けられ、第２凹溝の幅は、ゴムストリップの幅よりも大きく、ゴムストリップの内部にストリップ状キャビティが形成される。第２凹溝をゴムストリップと組み合わせて使用することにより、パネルをベースに対して閉じる過程において、ゴムストリップの内部のストリップ状キャビティが変形するため、衝撃力を緩和し、優れた防振効果を有する。
【図面の簡単な説明】
【００１９】
【図１】本考案の実施例に係るノートパソコンの防振装置の構造模式図である。
【図２】本考案の実施例に係るノートパソコンの防振装置的ベースの上面模式図である。
【図３】本考案の実施例に係るノートパソコンの防振装置的パネルの表面模式図である。
【図４】本考案の実施例に係るノートパソコンの防振装置の防振アセンブリの断面模式図である。
【考案を実施するための形態】
【００２０】
図１−４に示すように、本考案では、ノートパソコンの防振装置は、ベース１と、前記ベース１の一端側にヒンジ接続されるパネル５と、を含むノートパソコンの防振装置であって、前記パネル５の表面における両側壁に近い位置にそれぞれ防振アセンブリ６が接着され、前記防振アセンブリ６は、それぞれゴムブロック６０１と、楕円形のキャビティ６０２と、弾性ボール６０３と、バンプテープ６０４と、ゴム凸条６０５と、を含む。前記ゴムブロック６０１の内部に楕円形の前記キャビティ６０２が形成され、前記楕円形のキャビティ６０２の内部に前記弾性ボール６０３が可動接続され、前記ゴムブロック６０１の下面に前記バンプテープ６０４が一体成形され、前記ゴムブロック６０１の両側壁に前記ゴム凸条６０５が一体成形され、前記パネル５の表面における頂端に近い位置にそれぞれ磁気ブロック７とゴムストリップ９が設けられる。
【００２１】
前記ベース１の上面にキーボード１０１が設けられ、前記パネル５の表面に表示画面５０１が嵌合される。キーボード１０１と表示画面５０１は、いずれもノートパソコンの必須のハードウェア設備であり、ユーザがノートパソコンを操作する際に補助するものである。
【００２２】
前記ベース１の下面にボス２が固定して接続される。ベース１の下面にボス２を固定して接続することにより、ボス２がベース１を持ち上げ、ベース１と支持面との間の接触面積を減少させ、摩耗を減少させ、ベース１の下の空気循環をよくし、使用効果を向上させる。
【００２３】
前記ベース１の表面における両側壁に近い位置にそれぞれ第１凹溝３が形成される。
【００２４】
前記第１凹溝３の幅は、前記ゴムブロック６０１の幅よりも大きい。
【００２５】
前記第１凹溝３の深さは、前記ゴムブロック６０１の高さよりの大きい。ベース１の表面における両側壁に近い位置にそれぞれ第１凹溝３を形成させ、第１凹溝３を防振アセンブリ６と組み合わせて使用することにより、パネル５をベース１に対して閉じる過程において、防振アセンブリ６が第１凹溝３の内部にゆっくり挿入し、ゴムブロック６０１の下面に位置するバンプテープ６０４が第１凹溝３の開口端に入り、ゴムブロック６０１の両側壁に位置するゴム凸条６０５が第１凹溝３の開口端の側壁に接触し、第一回の摩擦緩衝が行われる。パネル５が押し下げられ続ける際に、バンプテープ６０４が第１凹溝３の内部の底端に接触し、ゴムブロック６０１が圧迫力を受け、楕円形のキャビティ６０２が変形し、第二回の摩擦緩衝が行われる。楕円形のキャビティ６０２が弾性ボール６０３を圧縮する際に、第三回の摩擦緩衝が行われる。衝撃力に対して緩衝を三回行うことで、パネル５を安定的に閉じることができる。また、ゴムブロック６０１により、パネル５とベース１との接続の部分の密接性が向上する。
【００２６】
前記ベース１の表面に第２凹溝８が形成される。
【００２７】
前記第２凹溝８の幅は、ゴムストリップ９の幅よりも大きい。
【００２８】
前記ゴムストリップ９の内部にストリップ状キャビティ９０１が形成される。第２凹溝８をゴムストリップ９と組み合わせて使用することにより、パネル５をベース１に対して閉じる過程において、ゴムストリップ９の内部のストリップ状キャビティ９０１が変形するため、衝撃力を緩和し、優れた防振効果を有する。
【００２９】
前記磁気ブロック７は、前記ゴムストリップ９の外側に位置し、前記ベース１の表面に金属スリーブ４が対称的に挿入して接続される。磁気ブロック７の磁気吸引力により、磁気ブロック７が金属スリーブ４の内部に挿入され、パネル５がベース１の表面に密接し、クローズ操作が完了する。
【００３０】
なお、ノートパソコンの防振装置は、動作する際に、パネル５の表面における両側壁に近い位置にそれぞれ防振アセンブリ６が接着される。防振アセンブリ６は、それぞれゴムブロック６０１と、楕円形のキャビティ６０２と、弾性ボール６０３と、バンプテープ６０４と、ゴム凸条６０５と、を含む。パネル５をベース１に対して閉じる過程において、防振アセンブリ６が第１凹溝３の内部にゆっくり挿入し、ゴムブロック６０１の下面に位置するバンプテープ６０４が第１凹溝３の開口端に入り、ゴムブロック６０１の両側壁に位置するゴム凸条６０５が第１凹溝３の開口端の側壁に接触し、第一回の摩擦緩衝が行われる。パネル５が押し下げられ続ける際に、バンプテープ６０４が第１凹溝３の内部の底端に接触し、ゴムブロック６０１が圧迫力を受け、楕円形のキャビティ６０２が変形し、第二回の摩擦緩衝が行われる。楕円形のキャビティ６０２が弾性ボール６０３を圧縮する際に、第三回の摩擦緩衝が行われる。衝撃力に対して緩衝を三回行うことで、パネル５を安定的に閉じることができる。また、ゴムブロック６０１により、パネル５とベース１との接続の部分の密接性が向上する。パネル５の表面における頂端に近い位置にそれぞれ磁気ブロック７とゴムストリップ９が設けられる。ベース１の表面に第２凹溝８が形成される。第２凹溝８の幅は、ゴムストリップ９の幅よりも大きい。ゴムストリップ９の内部にストリップ状キャビティ９０１が形成される。第２凹溝８をゴムストリップ９と組み合わせて使用することにより、パネル５をベース１に対して閉じる過程において、ゴムストリップ９の内部のストリップ状キャビティ９０１が変形するため、衝撃力を緩和し、優れた防振効果を有する。磁気ブロック７は、前記ゴムストリップ９の外側に位置し、前記ベース１の表面に金属スリーブ４が対称的に挿入して接続される。磁気ブロック７の磁気吸引力により、磁気ブロック７が金属スリーブ４の内部に挿入され、パネル５がベース１の表面に密接し、クローズ操作が完了する。
【符号の説明】
【００３１】
１：ベース
１０１：キーボード
２：ボス
３：第１凹溝
４：金属スリーブ
５：パネル
５０１：表示画面
６：防振アセンブリ
６０１：ゴムブロック
６０２：楕円形のキャビティ
６０３：弾性ボール
６０４：バンプテープ
６０５：ゴム凸条
７：磁気ブロック
８：第２凹溝
９：ゴムストリップ
９０１：ストリップ状キャビティ
【図１】
0003233009.tif 000003
【図２】
0003233009.tif 000004
【図３】
0003233009.tif 000005
【図４】
0003233009.tif 000006